(57)【要約】【課題】  本考案は、連結方向の自由度が増し、パネル相互を所定の角度を持たせて立体的に連結出来るパネルを提供することを目的としている。【解決手段】  正多角形状のパネル本体２と、該パネル本体２の各辺に設けられ、該パネル本体２の各辺から該パネル本体２の厚みｔに対応した長さｔで突出すると共に、元部３ａから先端部３ｂに亘って同じ幅ｗで構成される複数の凸部３と、隣設される複数の凸部３間に、該凸部３のパネル本体２の辺方向の幅ｗに対応する幅ｗ´を有し、底部４ａから開口部４ｂに亘って同じ幅ｗ´で構成され、且つ凸部３が嵌合される凹部４とを有し、凸部３の凹部４側の側面には、第１のパネル本体２の凸部３を第２のパネル本体２の凹部４に嵌合させた際に、互いのパネル本体２が着脱可能に係合し得る突起部３ｃ、溝部３ｄ、或いは突起部３ｃ、溝部３ｄが形成されない平坦部を含む係合部を設けた構成であることを特徴とする。【選択図】      図１
0003166862.tif 000002
【実用新案登録請求の範囲】
【請求項１】
正多角形状のパネル本体と、
前記パネル本体の各辺に設けられ、該パネル本体の各辺から該パネル本体の厚みに対応した長さで突出すると共に、元部から先端部に亘って同じ幅で構成される複数の凸部と、
隣設される前記複数の凸部間に、前記凸部の前記パネル本体の辺方向の幅に対応する幅を有し、底部から開口部に亘って同じ幅で構成され、且つ前記凸部が嵌合される凹部と、
を有し、
前記凸部の前記凹部側の側面には、第１のパネル本体の凸部を第２のパネル本体の凹部に嵌合させた際に、互いのパネル本体が着脱可能に係合し得る係合部を設けたことを特徴とするパネル。
【請求項２】
前記凸部の前記凹部側の側面には、第１のパネル本体の凸部を第２のパネル本体の凹部に嵌合させた際に、互いのパネル本体が回動可能で且つ着脱可能に係合し得る係合部を設けたことを特徴とする請求項１に記載のパネル。
【請求項３】
第１のパネル本体の一辺に設けられた凸部を第２のパネル本体の一辺に設けられた凹部に嵌合させると共に、前記第２のパネル本体の他辺に設けられた凸部を第３のパネル本体の一辺に設けられた凹部に嵌合させ、
前記第１のパネル本体の表面と前記第２のパネル本体の表面とが１８０°よりも大きな角度で連結され、前記第２のパネル本体の表面と前記第３のパネル本体の表面とが１８０°よりも小さな角度で連結されることを特徴とする請求項１または請求項２に記載のパネル。
【請求項４】
前記パネル本体の表面に収容部が設けられ、該収容部内に写真、絵画、色紙、ポスター、ブロマイド、ジグソーパズル、押し花、影絵などの加飾材が収容されることを特徴とする請求項１〜３のいずれか１項に記載のパネル。
【請求項５】
前記収容部は縦横の長さが異なる形状で構成され、前記収容部の縦横方向を互いに異なる方向に配置して第１のパネル本体の凸部を第２のパネル本体の凹部に嵌合し得ることを特徴とする請求項４に記載のパネル。
【請求項６】
前記収容部内の前記加飾材の表面を覆う透明板が前記パネル本体に対して着脱可能に設けられたことを特徴とする請求項４または請求項５に記載のパネル。
【請求項７】
前記パネル本体の裏面には、
立て掛け部材を該パネル本体の裏面側に収納する第１の係止部と、
前記立て掛け部材を前記パネル本体の裏面側に立て掛ける第２の係止部と、
を設けたことを特徴とする請求項１〜６のいずれか１項に記載のパネル。
【請求項８】
前記パネル本体の裏面には、
壁掛け部材を取り付ける第３の係止部を設けたことを特徴とする請求項１〜７のいずれか１項に記載のパネル。
【請求項９】
前記パネル本体が半透明で構成され、複数の前記パネルを組み立てた立体内部に照明装置が設けられたことを特徴とする請求項１または請求項２に記載のパネル。
【請求項１０】
前記パネル本体の表面に収容部が設けられ、該収容部内に半透明の電飾板が収容されたことを特徴とする請求項９に記載のパネル。
【考案の詳細な説明】
【技術分野】
【０００１】
本考案は、写真、絵画、色紙、ブロマイド、ジグソーパズル、押し花、影絵等を壁面や卓上に飾ったり、組み合わせて立体状としてイルミネーションや行灯（あんどん）等として利用可能なパネルに関するものである。
【背景技術】
【０００２】
従来、写真、絵画、組み上がったジグソーパズル等を壁面や卓上に飾る際に用いられる額縁が特許文献１により提案されている。特許文献１の額縁は複数の額縁を同一平面上に上下左右に連結出来るものである。
【先行技術文献】
【特許文献】
【０００３】
【特許文献１】実用新案登録第３１４４４１２号公報
【考案の概要】
【考案が解決しようとする課題】
【０００４】
しかしながら、前述の特許文献１の技術では、額縁が長方形であるため連結出来る方向が規定され、自由度に欠ける。また、４つの枠辺のうち幅の大きい２つの枠辺の外側面中央に蟻溝形状の凹部からなる雌型接続部が凹設され、幅の小さい２つの枠辺の外側面中央に前記雌型接続部と相似形でこれより若干小さい突起からなる雄型接続部が突設され、これらの雌型接続部と雄型接続部とを嵌合させて連結する構成であるため連結される額縁相互は同一平面上にしか連結出来ず、額縁相互を所定の角度を持たせて立体的に連結し得るものではないため自由度に欠けるという問題があった。
【０００５】
本考案は前記課題を解決するものであり、その目的とするところは、連結方向の自由度が増し、パネル相互を所定の角度を持たせて立体的に連結出来るパネルを提供せんとするものである。
【課題を解決するための手段】
【０００６】
前記目的を達成するための本考案に係るパネルの第１の構成は、正多角形状のパネル本体と、前記パネル本体の各辺に設けられ、該パネル本体の各辺から該パネル本体の厚みに対応した長さで突出すると共に、元部から先端部に亘って同じ幅で構成される複数の凸部と、隣設される前記複数の凸部間に、前記凸部の前記パネル本体の辺方向の幅に対応する幅を有し、底部から開口部に亘って同じ幅で構成され、且つ前記凸部が嵌合される凹部とを有し、前記凸部の前記凹部側の側面には、第１のパネル本体の凸部を第２のパネル本体の凹部に嵌合させた際に、互いのパネル本体が着脱可能に係合し得る係合部を設けたことを特徴とする。
【０００７】
また、本考案に係るパネルの第２の構成は、前記第１の構成において、前記凸部の前記凹部側の側面には、第１のパネル本体の凸部を第２のパネル本体の凹部に嵌合させた際に、互いのパネル本体が回動可能で且つ着脱可能に係合し得る係合部を設けたことを特徴とする。
【０００８】
また、本考案に係るパネルの第３の構成は、前記第１、第２の構成において、第１のパネル本体の一辺に設けられた凸部を第２のパネル本体の一辺に設けられた凹部に嵌合させると共に、前記第２のパネル本体の他辺に設けられた凸部を第３のパネル本体の一辺に設けられた凹部に嵌合させ、前記第１のパネル本体の表面と前記第２のパネル本体の表面とが１８０°よりも大きな角度で連結され、前記第２のパネル本体の表面と前記第３のパネル本体の表面とが１８０°よりも小さな角度で連結されることを特徴とする。
【０００９】
また、本考案に係るパネルの第４の構成は、前記第１〜第３の構成において、前記パネル本体の表面に収容部が設けられ、該収容部内に写真、絵画、色紙、ポスター、ブロマイド、ジグソーパズル、押し花、影絵等の加飾材が収容されることを特徴とする。
【００１０】
また、本考案に係るパネルの第５の構成は、前記第４の構成において、前記収容部は縦横の長さが異なる形状で構成され、前記収容部の縦横方向を互いに異なる方向に配置して第１のパネル本体の凸部を第２のパネル本体の凹部に嵌合し得ることを特徴とする。
【００１１】
また、本考案に係るパネルの第６の構成は、前記第４、第５の構成において、前記収容部内の前記加飾材の表面を覆う透明板が前記パネル本体に対して着脱可能に設けられたことを特徴とする。
【００１２】
また、本考案に係るパネルの第７の構成は、前記第１〜第６の構成において、前記パネル本体の裏面には、立て掛け部材を該パネル本体の裏面側に収納する第１の係止部と、前記立て掛け部材を前記パネル本体の裏面側に立て掛ける第２の係止部とを設けたことを特徴とする。
【００１３】
また、本考案に係るパネルの第８の構成は、前記第１〜第７の構成において、前記パネル本体の裏面には、壁掛け部材を取り付ける第３の係止部を設けたことを特徴とする。
【００１４】
また、本考案に係るパネルの第９の構成は、前記第１、第２の構成において、前記パネル本体が半透明で構成され、複数の前記パネルを組み立てた立体内部に照明装置が設けられたことを特徴とする。
【００１５】
また、本考案に係るパネルの第１０の構成は、前記第９の構成において、前記パネル本体の表面に収容部が設けられ、該収容部内に半透明の電飾板が収容されたことを特徴とする。
【考案の効果】
【００１６】
本考案に係るパネルの第１の構成によれば、パネル本体を正多角形状とし、該パネル本体の各辺に設けられた凸部の突出長さをパネル本体の厚みに対応する同一長さとすることで、該凸部を含むパネルの輪郭外形が正多角形として構成され、該凸部の元部から先端部に亘って同じ幅で構成され、該凸部が嵌合される凹部も該凸部のパネル本体の辺方向の幅に対応する幅を有し、底部から開口部に亘って同じ幅で構成されたことで、パネル相互が自由な方向で連結可能である。さらに、凸部の凹部側の側面に設けた係合部により、第１のパネル本体の凸部を第２のパネル本体の凹部に嵌合させた際に、互いのパネル本体が自在な角度で着脱可能に係合し得るためパネル相互を所定の角度を持たせて立体的に連結出来る。
【００１７】
また、本考案に係るパネルの第２の構成によれば、パネル本体の各辺に設けられた凸部の凹部側の側面に設けた係合部により、第１のパネル本体の凸部を第２のパネル本体の凹部に嵌合させた際に、互いのパネル本体が回動可能で且つ着脱可能に係合し得るためパネル相互を自在な角度で着脱し回動させて所定の角度を持たせて立体的に連結出来る。
【００１８】
また、本考案に係るパネルの第３の構成によれば、第１〜第３のパネル本体がジグザグ状に連結され、第１のパネル本体の表面と第２のパネル本体の表面とが１８０°よりも大きな角度で連結されることで、互いの表面を外側に配置することが出来、第２のパネル本体の表面と第３のパネル本体の表面とが１８０°よりも小さな角度で連結されることで、互いの表面を内側に配置することが出来る。
【００１９】
また、本考案に係るパネルの第４の構成によれば、パネル本体の表面に設けられた収容部内に写真、絵画、色紙、ポスター、ブロマイド、ジグソーパズル、押し花、影絵等の加飾材を収容して、写真立てや装飾性の高いパネルとして利用することが出来る。
【００２０】
また、本考案に係るパネルの第５の構成によれば、パネル本体の表面に設けられた収容部の縦横方向を互いに異なる方向に配置して第１のパネル本体の凸部を第２のパネル本体の凹部に嵌合し得ることで装飾性の自由度が向上する。
【００２１】
また、本考案に係るパネルの第６の構成によれば、パネル本体の表面に設けられた収容部内の写真、絵画、色紙、ポスター、ブロマイド、ジグソーパズル、押し花、影絵等の加飾材の表面を覆う透明板が該パネル本体に対して着脱可能に設けられたことで、透明板により収容部内の写真、絵画、色紙、ポスター、ブロマイド、ジグソーパズル、押し花、影絵等の加飾材が保護されると共に、透明板を介して該加飾材が透視出来、透明板を脱離して加飾材を適宜交換することが出来る。
【００２２】
また、本考案に係るパネルの第７の構成によれば、立て掛け部材を使用しない場合には、第１の係止部により立て掛け部材を該パネル本体の裏面側に収納することが出来、立て掛け部材を紛失することがない。立て掛け部材を使用する場合には、第１の係止部から立て掛け部材を取り外し、第２の係止部により立て掛け部材をパネル本体の裏面側に立て掛けることで、パネルを卓上等に立て掛けることが出来る。
【００２３】
また、本考案に係るパネルの第８の構成によれば、第３の係止部に壁掛け部材を取り付けることで該壁掛け部材を介してパネルを壁等に掛けることが出来る。
【００２４】
また、本考案に係るパネルの第９の構成によれば、パネル本体が半透明で構成され、複数のパネルを組み立てた立体内部に照明装置が設けられたことで、立体状のパネルをイルミネーションや行灯（あんどん）として使用出来る。
【００２５】
また、本考案に係るパネルの第１０の構成によれば、パネル本体が半透明で構成され、パネル本体の表面に設けられた収容部内にステンドグラス等の半透明の電飾板が収容され、複数のパネルを組み立てた立体内部に照明装置が設けられたことで、パネル本体の表面に設けられた収容部内に電飾板が収容された立体状のパネルを装飾性の高いイルミネーションや行灯等として使用出来る。
【図面の簡単な説明】
【００２６】
【図１】（ａ）〜（ｃ）は本考案に係るパネルの構成を示す表面図及び側面図、（ｄ）は（ａ）のＡ−Ａ断面図である。
【図２】（ａ）は本考案に係るパネルの構成を示す裏面図、（ｂ）は（ａ）のＢ−Ｂ断面図、（ｃ）は（ａ）のＣ−Ｃ断面図である。
【図３】（ａ）はパネル本体の表面側に設けられた収容部、該収容部内に収容される加飾材、該加飾材の表面を覆う透明板の構成を示す分解斜視図、（ｂ）はパネル本体の各辺に設けられる凸部の先端面を外に突の湾曲面で構成した一例を示す図である。
【図４】（ａ）はパネル本体の裏面側に取り付けられる立て掛け部材と壁掛け部材の構成を示す分解斜視図、（ｂ）はパネル本体の各辺に設けられる凸部の先端面を外に突の湾曲面で構成した一例を示す図である。
【図５】（ａ）は立て掛け部材をパネル本体の裏面側に取り付けてパネルを立て掛けた構成を示す側面図及び裏面図、（ｂ）は立て掛け部材の構成を示す四面図及びそのＤ−Ｄ断面図である。
【図６】（ａ）は壁掛け部材をパネルの裏面側に取り付けると共に、立て掛け部材をパネル本体の裏面側に収納した構成を示す裏面図、（ｂ）は壁掛け部材の構成を示す三面図及びそのＥ−Ｅ断面図並びにＦ−Ｆ断面図である。
【図７】（ａ）は第１のパネル本体の表面と第２のパネル本体の表面とを１８０°よりも大きな角度で連結し、該第２のパネル本体の表面と第３のパネル本体の表面とを１８０°よりも小さな角度で連結した一例を示す斜視説明図、（ｂ）は第１のパネル本体の凸部を第２のパネル本体の凹部に嵌合させ、該凸部の凹部側の側面に設けた係合部により互いのパネル本体を回動可能で且つ着脱可能に係合する様子を示す部分断面図である。
【図８】（ａ）は６枚のパネルを表面が外側になるように正六面体形状に組み立てた一例を示す外観斜視図、（ｂ）は３枚のパネルを表面が内側になるように組み立てた一例を示す外観斜視図である。
【図９】（ａ）はパネルに付属する組み立て台座の構成を示す分解斜視図、（ｂ）は６枚のパネルを表面が外側になるように正六面体形状に組み立てて、その角部を三角形状の台座内に挿入して載置する様子を示す斜視説明図である。
【図１０】（ａ）はパネル相互を互い違いに連結した一例を示す平面図、（ｂ）は６枚の半透明のパネルを表面が外側になるように正六面体形状に組み立てて、その内部に照明装置を設けたイルミネーションの一例を示す斜視説明図である。
【考案を実施するための形態】
【００２７】
図により本考案に係るパネルの一実施形態を具体的に説明する。
【実施例１】
【００２８】
先ず図１〜図10（ａ）を用いて本考案に係るパネルの第１実施形態の構成について説明する。図１及び図２に示すように、パネル１は、正多角形状の一例である正方形のパネル本体２と、該パネル本体２の各辺に設けられ、該パネル本体２の各辺から該パネル本体２の厚みｔに対応した長さｔで突出すると共に、該パネル本体２の各辺の位置である元部３ａから先端部３ｂに亘って同じ幅ｗで構成される複数の凸部３と、隣設される複数の凸部３の間に、該凸部３のパネル本体２の辺方向（図１及び図２の上下左右方向）の幅ｗに対応する幅ｗ´を有し、該パネル本体２の各辺の位置である底部４ａから先端側の開口部４ｂに亘って同じ幅ｗ´で構成され、且つ凸部３が嵌合される凹部４とを有する。尚、ここで、パネル本体２が意味する領域とは、パネル１から凸部３を除外した残りの正方形領域をいう。
【００２９】
本実施形態のパネル本体２は正方形で構成され、凸部３と凹部４とはパネル本体２の４辺に亘って連続するクランク形状で構成される。凸部３の先端部３ｂを仮想直線で結んだ際に形成されるパネル１の輪郭外形は、パネル本体２の正方形の一辺の長さに凸部３の突出長さｔ×２（＝２ｔ）を加えた正方形で構成される。
【００３０】
本実施形態の凸部３は正方形のパネル本体２の各辺に、該各辺の一端部を起点として、それぞれ３つずつ配置され、３つの凸部３の間に２つの凹部４が形成されている。そして各辺の起点と反対側の他端部は凹部４がその辺と直交する辺の一端部に設けられた凸部３の側面に延長されている。
【００３１】
本実施形態の凸部３の凹部４側の平面状の側面のほぼ中央部には、図２（ｂ），（ｃ）及び図７（ｂ）に示すように、第１のパネル本体２の凸部３を第２のパネル本体２の凹部４に嵌合させた際に、互いのパネル本体２が回動可能で着脱可能に係合し得る平面が円形で断面が円弧状の突起部３ｃと、該突起部３ｃが嵌入して係合し得る平面が円形で断面が円弧状の窪み部３ｄとからなる係合部が設けられている。
【００３２】
本実施形態では、パネル本体２の各辺の一端部を起点とする凸部３（例えば図１（ａ）の左上の凸部３）の凹部４側の側面に窪み部３ｄが設けられ、それに隣設される各辺の中央部の凸部３の前記窪み部３ｄに対向する凹部４側の側面に突起部３ｃが設けられている。また、各辺の起点と反対側の他端部側に設けられる凸部３（例えば図１（ａ）の右上の凸部３）の各辺の起点側の側面には窪み部３ｄが設けられ、該凸部３の各辺の起点側と反対側の側面には突起部３ｃが設けられている。
【００３３】
即ち、凸部３の凹部４側の側面には、第１のパネル本体２の凸部３を第２のパネル本体２の凹部４に嵌合させた際に、互いのパネル本体２が回動可能で且つ着脱可能に係合し得る突起部３ｃ、窪み部３ｄ、或いは突起部３ｃ、窪み部３ｄが形成されない平坦部を含む係合部が設けられる。
【００３４】
突起部３ｃと、窪み部３ｄとの配置をこのように構成したことにより、各パネル１相互を図10（ａ）に示すように、ずれた位置に配置しても突起部３ｃ同士が対向することがなく、突起部３ｃは窪み部３ｄに嵌入するか、突起部３ｃも窪み部３ｄも無い平坦面に当接するかの何れかにより互いのパネル本体２が回動可能でかつ着脱可能に係合することが出来る。
【００３５】
例えば、図３（ｂ）及び図４（ｂ）に示すように、凸部３の先端部３ｂの断面形状を突起部３ｃ或いは窪み部３ｄを中心とした円弧状の湾曲面により構成することで、互いのパネル本体２がより円滑に回動可能でかつ着脱可能に係合することが出来る。尚、凹部４の底部４ａの断面形状を突起部３ｃ或いは窪み部３ｄを中心とした円弧状の湾曲面により構成することでも同様に、互いのパネル本体２がより円滑に回動可能でかつ着脱可能に係合することが出来る。また、凸部３の先端部３ｂと、凹部４の底部４ａとの両方の断面形状を突起部３ｃ或いは窪み部３ｄを中心とした円弧状の湾曲面により構成することでも良い。
【００３６】
本実施形態のパネル１は樹脂製で成形により作成され、図４に示すように、少なくとも凸部３の内部は中空で構成されている。これにより凸部３の凹部４側の側面は、第１のパネル本体２の凸部３を第２のパネル本体２の凹部４に嵌合させる際に外力が作用すると所定量撓むことが出来、外力が作用しないと復元することが出来る。これにより、突起部３ｃを窪み部３ｄ内に嵌入させたり、突起部３ｃを平坦面に当接することで容易に係合したり係合を解除して分離することが出来る。
【００３７】
図３（ｂ）及び図４（ｂ）に示すように、凸部３の先端部３ｂの断面形状を、突起部３ｃ或いは窪み部３ｄを中心とした円弧状の湾曲面により形成することで、第１のパネル本体２の凸部３を第２のパネル本体２の凹部４に嵌合させ、突起部３ｃを窪み部３ｄに嵌入するか、突起部３ｃを突起部３ｃも窪み部３ｄも無い平坦面に当接するかの何れかの状態で、互いのパネル本体２を容易に回動可能に係合することが出来る。
【００３８】
このような構成によれば、パネル本体２の各辺に設けられた凸部３の凹部４側の側面に設けた突起部３ｃ、窪み部３ｄ、或いは突起部３ｃ、窪み部３ｄが形成されない平坦部を含む係合部により、第１のパネル本体２の凸部３を第２のパネル本体２の凹部４に嵌合させた際に、互いのパネル本体２が回動可能で且つ着脱可能に係合し得るためパネル１相互を自在な角度で着脱し回動させて所定の角度を持たせて立体的に連結出来る。
【００３９】
例えば、図７（ａ）は第１のパネル本体２Ａの表面と第２のパネル本体２Ｂの表面とを１８０°よりも大きな角度で各パネル１の凸部３を隣接される別のパネル１の凹部４に嵌合させ、突起部３ｃを窪み部３ｄに嵌入するか、突起部３ｃを突起部３ｃも窪み部３ｄも無い平坦面に当接するかの何れかの状態で連結し、該第２のパネル本体２Ｂの表面と第３のパネル本体２Ｃの表面とを１８０°よりも小さな角度で各パネル１の凸部３を隣接される別のパネル１の凹部４に嵌合させ、突起部３ｃを窪み部３ｄに嵌入するか、突起部３ｃを突起部３ｃも窪み部３ｄも無い平坦面に当接するかの何れかの状態でジグザク形状に連結した一例を示す。
【００４０】
図８（ａ）は６枚のパネル１を表面が外側になるように各パネル１の凸部３を隣接される別のパネル１の凹部４に嵌合させ、突起部３ｃを窪み部３ｄに嵌入するか、突起部３ｃを突起部３ｃも窪み部３ｄも無い平坦面に当接するかの何れかの状態で正六面体形状に組み立てた一例を示す。図８（ｂ）は３枚のパネル１を表面が内側になるように各パネル１の凸部３を隣接される別のパネル１の凹部４に嵌合させ、突起部３ｃを窪み部３ｄに嵌入するか、突起部３ｃを突起部３ｃも窪み部３ｄも無い平坦面に当接するかの何れかの状態で組み立てた一例を示す外観斜視図であり、１枚のパネル１を底板とし、２枚のパネル１を底板パネル１の直交する２辺から起立させて相互に連結した一例である。図10（ａ）は２枚のパネル１相互を位置をずらして互い違いに連結した一例を示す。
【００４１】
図９（ａ）はパネル１に付属する組み立て台座17の構成を示す分解斜視図であり、商品化されたパネル１の付属品として台紙16が同封されており、該台紙16の一部を切取線16ａに沿って同形の３枚の型紙16ｂを切り抜き、糊代16b1に糊をつけて図９（ｂ）に示す組み立て台座17を組み立てる。そして、図８（ａ）に示した６枚のパネル１を表面が外側になるように正六面体形状に組み立てて、その角部を三角形状の台座17内に挿入して載置することが出来る。尚、糊の代わりに両面テープを使用して貼着することでも良い。また、図示しないが、予め３角形状に連結された３枚の型紙16ｂを台紙16の一部から所定の切取線に沿って切り抜き、所定の折り目に沿って、組み立て台座17を組み立てることでも良い。
【００４２】
尚、凸部３の凹部４側の側面に、第１のパネル本体２の凸部３を第２のパネル本体２の凹部４に嵌合させた際に、互いのパネル本体２が回転可能かつ着脱可能に係合し得る係合部の他の例としては、凸部３の凹部４側の側面に所定の摩擦係数と弾性を有するスポンジなどからなる摩擦パッド等の係合部材を設けて構成することも出来る。
【００４３】
パネル本体２の表面側には、図１（ａ）及び図３（ａ）に示すように、パネル本体２の表面から陥没した凹部からなる長方形の収容部５が設けられており、該収容部５内に写真、絵画、色紙、ポスター、ブロマイド、ジグソーパズル、押し花、影絵等の板状或いはフィルム状の加飾材６が収容される。尚、加飾材６としては、有機ＥＬディスプレイ（organic electroluminescence display）、液晶ディスプレイ、プラズマディスプレイなどの薄型ディスプレイを利用することも出来る。
【００４４】
本実施形態の収容部５は縦横の長さが異なる長方形で構成され、図７（ａ）、図８（ａ），（ｂ）及び図10（ａ）に示すように、該収容部５の縦横方向を互いに異なる方向に配置して各パネル本体２の凸部３を隣接されるパネル本体２の凹部４に嵌合して連結し得るため、装飾性の自由度が向上する。尚、収容部５の形状は、長方形に限定されるものではなく、正方形であっても良いし、他の種々の形状で構成することが出来る。
【００４５】
図３（ａ）に示すように、パネル本体２に対して収容部５内の加飾材６の表面を覆う可撓性の透明板７が着脱可能に設けられている。本実施形態では、収容部５の壁面の４隅に設けられたスリット５ａ内に、図３（ａ）に示す透明板７の４隅に突出して設けられた差込片７ａを差し込むことで、透明板７がパネル本体２に装着される。また、透明板７をパネル本体２から脱離する場合には、可撓性の透明板７を湾曲させて差込片７ａをスリット５ａから抜き出すことで容易に脱離することが出来、収容部５内の加飾材６の交換が容易に出来る。
【００４６】
パネル本体２の裏面側には、図４（ａ）、図５、図６に示す棒状の立て掛け部材８を該パネル本体２の裏面側に収納する第１の係止部となる２つの突起部９が設けられており、立て掛け部材８に設けられた穴部８ａに該突起部９を挿入して係止することで、立て掛け部材８を該パネル本体２の裏面側に収納することが出来る。また、パネル本体２の裏面側には、立て掛け部材８を立て掛けるための第２の係止部となる断面六角形状の穴を有する凹部10ａ，10ｂが設けられている。長方形の収容部５を縦方向に立て掛ける位置に凹部10ａが設けられ、長方形の収容部５を横方向に立て掛ける位置に凹部10ｂがそれぞれ設けられている。そして、図５（ｂ）に示す立て掛け部材８の端部に設けられた断面六角形状の挿入部８ｂを凹部10ａ，10ｂに適宜選択的に挿入し、挿入部８ｂの外周の一部に設けられた突出片8b1を凹部10ａ，10ｂの外周縁に該凹部10ａ，10ｂに連通して設けられた切欠部10a1，10b1内に挿通して立て掛け部材８の挿入方向を位置決めし、図５（ａ）に示すようにパネル１を卓上等に立て掛けることができる。
【００４７】
パネル本体２の裏面側には、壁掛け部材11を取り付ける第３の係止部となる４つの凸部12ａ，12ｂが設けられている。長方形の収容部５を縦方向に掛ける位置に２つの凸部12ａが設けられ、長方形の収容部５を横方向に掛ける位置に２つの凸部12ｂがそれぞれ設けられている。そして、図６（ｂ）に示す壁掛け部材11に設けられた２つの凹部11ａを凸部12ａ，12ｂに適宜選択的に嵌装し、該壁掛け部材11に設けられた穴11ｂを直接、壁の釘やフック等に挿通して掛けるか、図６（ａ）に示すように、該穴11ｂに紐13などの線条部材を挿通して該紐13を介して壁の釘やフック等に挿通して掛けることが出来る。
【００４８】
尚、本実施形態ではパネル本体２を正方形で構成し、凸部３を含むパネル１全体の輪郭外形が正方形として構成した場合の一例を説明したが、パネル本体２を正三角形、正五角形、正六角形、正八角形等の正多角形状で構成し、凸部３を含むパネル１全体の輪郭外形をパネル本体２の正多角形状に対応して正三角形、正五角形、正六角形、正八角形等の正多角形状で構成することも出来る。
【００４９】
上記構成によれば、パネル本体２を正多角形状とし、該パネル本体２の各辺に設けられた凸部３の突出長さをパネル本体２の厚みに対応する同一長さとすることで、該凸部３を含むパネル１全体の輪郭外形が正多角形として構成され、該凸部３の元部３ａから先端部３ｂに亘って同じ幅ｗで構成され、該凸部３が嵌合される凹部４も該凸部３のパネル本体２の辺方向の幅ｗに対応する幅ｗ´を有し、底部４ａから開口部４ｂに亘って同じ幅ｗ´で構成されたことで、パネル１相互が自由な方向で連結可能である。さらに、凸部３の凹部４側の側面に設けた突起部３ｃ、窪み部３ｄ、或いは突起部３ｃ、窪み部３ｄが形成されない平坦部を含む係合部により、第１のパネル本体２の凸部３を第２のパネル本体２の凹部４に嵌合させた際に、互いのパネル本体２が自在な角度で着脱可能に係合し得るためパネル１相互を所定の角度を持たせて立体的に連結出来る。
【００５０】
図７（ａ）は第１のパネル本体２Ａの一辺に設けられた凸部３を第２のパネル本体２Ｂの一辺に設けられた凹部４に嵌合させると共に、該第２のパネル本体２Ｂの他辺に設けられた凸部３を第３のパネル本体２Ｃの一辺に設けられた凹部４に嵌合させ、第１のパネル本体２Ａの表面と第２のパネル本体２Ｂの表面とが１８０°よりも大きな角度で連結され、第２のパネル本体２Ｂの表面と第３のパネル本体２Ｃの表面とが１８０°よりも小さな角度で連結された一例であり、３つのパネル本体２Ａ，２Ｂ，２Ｃがジグザグ状に連結され、第１のパネル本体２Ａの表面と第２のパネル本体２Ｂの表面とが１８０°よりも大きな角度で連結されることで、互いの表面を外側に配置することが出来、第２のパネル本体２Ｂの表面と第３のパネル本体２Ｃの表面とが１８０°よりも小さな角度で連結されることで、互いの表面を内側に配置することが出来、装飾性の自由度が高い。
【００５１】
パネル本体２の表面に設けられた収容部５内に写真、絵画、色紙、ポスター、ブロマイド、ジグソーパズル、押し花、影絵等の加飾材６を収容して、写真立てや装飾性の高いパネル１として利用することが出来る。加飾材６として、有機ＥＬディスプレイ（organic electroluminescence display）、液晶ディスプレイ、プラズマディスプレイなどの薄型ディスプレイ装置を利用すれば電飾（イルミネーション）として構成できる。
【００５２】
パネル本体２の表面に設けられた収容部５内の写真、絵画、色紙、ポスター、ブロマイド、ジグソーパズル、押し花、影絵等の加飾材６の表面を覆う透明板７が該パネル本体２に対して着脱可能に設けられたことで、透明板７により収容部５内の写真、絵画、色紙、ポスター、ブロマイド、ジグソーパズル、押し花、影絵等の加飾材６を保護出来、透明板７を介して該加飾材６が透視出来る。また、透明板７を脱離して加飾材６を適宜交換することが出来る。
【００５３】
立て掛け部材８を使用しない場合には、該立て掛け部材８に設けられた穴部８ａを突起部９に嵌合係止させて該立て掛け部材８を該パネル本体２の裏面側に収納することが出来、これにより立て掛け部材８を紛失することがない。立て掛け部材８を使用する場合には、突起部９から立て掛け部材８を取り外し、凹部10ａ，10ｂに挿入部８ｂを挿入係止して立て掛け部材８をパネル本体２の裏面側に立て掛けることで、パネル１を卓上等に立て掛けることが出来る。
【００５４】
パネル本体２の裏面側に設けられた凸部12ａ，12ｂに壁掛け部材11の凹部10ａ，10ｂを取り付けることで該壁掛け部材11を介してパネル１を壁等に掛けることが出来る。
【実施例２】
【００５５】
次に図10（ｂ）を用いて本考案に係るパネルの第２実施形態について説明する。図10（ｂ）において、本実施形態のパネル本体２は半透明で構成され、複数のパネル１を組み立てた立体内部に照明装置14が設けられている。本実施形態のパネル本体２の表面側には収容部５が設けられ、該収容部５内に半透明のステンドグラス等の電飾板15が収容されている。図10（ｂ）は６枚のパネル１を表面が外側になるように正六面体形状に組み立てて、その内部に照明装置14を設けたイルミネーションの一例を示す。
【００５６】
上記構成によれば、パネル本体２が半透明で構成され、複数のパネル１を組み立てた立体内部に照明装置14が設けられたことで、立体状のパネル１をイルミネーションや行灯（あんどん）として使用出来る。また、パネル本体２が半透明で構成され、パネル本体２の表面に設けられた収容部５内にステンドグラス等の半透明の電飾板15が収容され、複数のパネル１を組み立てた立体内部に照明装置14が設けられたことで、パネル本体２の表面に設けられた収容部５内に電飾板15が収容された立体状のパネル１を装飾性の高いイルミネーションや行灯等として使用出来る。
【産業上の利用可能性】
【００５７】
本考案の活用例として、写真、絵画、色紙、ブロマイド、ジグソーパズル、押し花、影絵等を壁面や卓上に飾ったり、組み合わせて立体状としてイルミネーションや行灯（あんどん）等として利用可能なパネルに適用できる。
【符号の説明】
【００５８】
１    …パネル
２，２Ａ，２Ｂ，２Ｃ  …パネル本体
３    …凸部
３ａ…元部
３ｂ…先端部
３ｃ  …突起部
３ｄ  …窪み部
４    …凹部
４ａ  …底部
４ｂ  …開口部
５    …収容部
５ａ  …スリット
６    …加飾材
７    …透明板
７ａ  …差込片
８    …立て掛け部材
８ａ  …穴部
８ｂ  …挿入部
8b1   …突出片
９    …突起部(第１の係止部)
10ａ，10ｂ …凹部(第２の係止部)
10a1，10b1 …切欠部
11    …壁掛け部材
11ａ  …凹部
11ｂ  …穴
12ａ，12ｂ …凸部(第３の係止部)
13    …紐
14    …照明装置
15    …電飾板
16    …台紙
16b1  …糊代
16ａ  …切取線
16ｂ  …型紙
17    …台座
【図１】
0003166862.tif 000003
【図２】
0003166862.tif 000004
【図３】
0003166862.tif 000005
【図４】
0003166862.tif 000006
【図５】
0003166862.tif 000007
【図６】
0003166862.tif 000008
【図７】
0003166862.tif 000009
【図８】
0003166862.tif 000010
【図９】
0003166862.tif 000011
【図１０】
0003166862.tif 000012